(57)【要約】      （修正有）【課題】エンドフェンスの一部となる補助トレイを設けて、排紙トレイ上に積載された用紙が通紙中に乱れないように用紙を押圧する、出没可能な用紙押さえ部材と連動させることで、コストアップや大型化を招くことなく、補助トレイにより用紙排紙時の先端丸まりおよび放出時に用紙束が座屈しないように保持する用紙後処理装置を提供する。【解決手段】搬入されてきた用紙を積載し、整合する積載トレイと、用紙を排出させる排出手段と、排出手段により排出された用紙を積載し、用紙後端を保持する保持板３０を備えた排紙トレイ５と、排紙トレイ５上に積載された用紙が、排出時に乱れないように用紙を押圧する、出没可能な用紙押さえ部材４０とを有する後処理装置であって、排紙トレイ５の保持板３０に回転可能に設けられた補助トレイ２８は、用紙押さえ部材４０と連動して突出または退避動作する。【選択図】図２
2013124178.tif 000002
【特許請求の範囲】
【請求項１】
搬入されてきた用紙を積載し、整合する積載トレイと、
用紙を排出させる排出手段と、
該排出手段により排出された用紙を積載し、用紙後端を保持する保持板を備えた排紙トレイと、
前記排紙トレイ上に積載された用紙が、排出時に乱れないように用紙を押圧する、出没可能な用紙押さえ部材とを有する後処理装置であって、
前記排紙トレイの前記保持板に回転可能に設けられた補助トレイは、前記用紙押さえ部材と連動して突出または退避動作することを特徴とする用紙後処理装置。
【請求項２】
前記補助トレイは、収納された状態で前記保持板の一部となることを特徴とする請求項１記載の用紙後処理装置。
【請求項３】
前記用紙押さえ部材および補助トレイは、装置停止中に収納された状態となり、用紙押さえの開口部を塞ぐことを特徴とする請求項１または２記載の用紙後処理装置。
【請求項４】
前記用紙押さえ部材および補助トレイは、前記排紙トレイに用紙が排出される時、用紙後端が前記積載トレイを抜けた直後に、退避することを特徴とする請求項１〜３のいずれか１項に記載の用紙後処理装置。
【請求項５】
前記用紙押さえ部材および補助トレイは、用紙幅方向に複数有することを特徴とする請求項１〜４のいずれか１項に記載の用紙後処理装置。
【請求項６】
前記用紙押さえ部材は、該用紙押さえ部材突出時に、前記補助トレイを支持する構成とすることを特徴とする請求項１〜５のいずれか１項に記載の用紙後処理装置。
【請求項７】
請求項１〜６のいずれか１項に記載の用紙後処理装置を備えていることを特徴とする画像形成装置。
【発明の詳細な説明】
【技術分野】
【０００１】
本発明は、搬入された記録紙、転写紙、ＯＨＰシートなどのシート状記録媒体に対して、整合、仕分け、綴じ、穿孔などの所定の処理を施す用紙後処理装置およびこの用紙後処理装置を備えた画像形成装置に関する。
【背景技術】
【０００２】
画像形成装置から搬入された画像形成済のシート状記録媒体（以下、単に「用紙」と称する）を受け入れ、用紙整合のためステイプル上に排紙する場合に、用紙先端部のカールが大きいと用紙と排紙トレイの接触角度がきつくなり、用紙先端部が丸まってスタックされ、揃え不良や後続紙が滞留することにより紙詰まりを引き起こす不具合や、用紙をステイプルトレイ上で整合した後、放出手段により排紙トレイ上に放出させる場合、ステイプルトレイと排紙トレイの落差、排紙トレイの角度等によっては、特に腰の弱い紙種において座屈が発生し、排紙トレイ上に正常に放出できず後端残りとなる。また、これにより、放出口を塞がれるために紙詰まりを引き起こす等の不具合があった。
【０００３】
このため、例えば、特許文献１では、出没式のトレイにより、用紙束を保持させながら放出させることにより、正常に放出させるようにしている。
【発明の概要】
【発明が解決しようとする課題】
【０００４】
しかし、特許文献１に記載された発明は、コストアップを招くばかりでなく、出没式トレイの収納スペース、駆動部などの配置にスペースが必要となり、装置が大型化してしまうという問題があった。さらに、排紙トレイ上の用紙が乱れないよう保持させるための用紙押さえの動作範囲は、後端フェンスに開口部ができてしまうため、ユーザーが開口部で指を挟む等の安全性の懸念がある。
【０００５】
本発明は、上記課題を鑑みてなされたものであり、その目的とするところは、エンドフェンスの一部となる補助トレイを設けて、排紙トレイ上に積載された用紙が通紙中に乱れないように用紙を押圧する、出没可能な用紙押さえ部材と連動させることで、コストアップや大型化を招くことなく、補助トレイにより用紙排紙時の先端丸まりおよび放出時に用紙束が座屈しないように保持する用紙後処理装置を提供することにある。
【課題を解決するための手段】
【０００６】
かかる目的を達成するために、本発明は、以下の特徴を有することとする。
【０００７】
本発明に係る用紙後処理装置は、搬入されてきた用紙を積載し、整合する積載トレイと、用紙を排出させる排出手段と、該排出手段により排出された用紙を積載し、用紙後端を保持する保持板を備えた排紙トレイと、前記排紙トレイ上に積載された用紙が、排出時に乱れないように用紙を押圧する、出没可能な用紙押さえ部材とを有する後処理装置であって、前記排紙トレイの前記保持板に回転可能に設けられた補助トレイは、前記用紙押さえ部材と連動して突出または退避動作することを特徴とする。
【発明の効果】
【０００８】
本発明によれば、用紙後端を保持するエンドフェンスを有する排紙トレイ上に積載された用紙が、放出時に乱れないように用紙を押圧する、出没可能な用紙押さえ部材を有し、排紙トレイのエンドフェンスに回転可能な補助トレイが設けられており、用紙押さえ部材と連動して突出、退避動作することにより、コストアップや大型化を招くことなく、用紙排紙時の先端丸まりおよび放出時の座屈を防止することができる。
【図面の簡単な説明】
【０００９】
【図１】本実施形態に係る用紙後処理装置の概略説明図である。
【図２】エンドフェンスに設けられた補助トレイおよび用紙押さえの動作を説明する図である。
【図３】エンドフェンスに設けられた補助トレイおよび用紙押さえの動作を説明する図である。
【図４】ステイプルトレイにスタックされた用紙の放出動作を説明する図である。
【図５】補助トレイおよび用紙押さえの駆動について説明する図である。
【発明を実施するための形態】
【００１０】
以下、本実施の形態について図面により詳細に説明する。
【００１１】
図１は、本実施形態に係る用紙後処理装置Ａの概略説明図である。画像形成装置から排出されてきた画像形成済みの用紙Ｐを受け入れる導入経路１と用紙Ｐを中間積載する搬送経路２と、搬送経路２で用紙中間部を中綴じされた用紙束を紙折部へと搬送する搬送経路３を有する。
【００１２】
導入経路１には、入口ローラ１０、入口センサ１３が配置され、用紙Ｐが用紙後処理装置内へ搬入されたことを検知する。入口ローラ１０の下流には用紙穿孔ＵＮＩＴ（Ｂ）が配置されており、その下流には、搬送ローラ１１、１２が配置され、これを経て搬送経路２へと用紙Ｐは搬送される。
【００１３】
排紙トレイ５への排出口には、排紙センサ２９、放出ベルト２６が配置されており、放出ベルト２６に固定された放出爪２７で、ステイプルトレイ２１にスタックされた用紙または用紙束を排紙トレイ５に押し出す構成となっており、排紙トレイ５に排出された用紙束の後端は、エンドフェンス３０によって保持される。
【００１４】
また、排紙口下方付近には、用紙押さえ４０が設けられており、用紙押さえ４０は排紙トレイ５にスタックされた用紙が乱れないように、用紙端部を押さえる部材であり、用紙押さえ４０の先端部は用紙の上面に接している。用紙押さえ４０の根元付近には、排紙トレイ５の高さ位置を検知する上面検知センサ（図示しない）があり、スタックされた用紙の紙面高さを検知している。排紙トレイ５上の堆積枚数の増大により用紙の高さが上昇するに従って、上面検知センサがオンすると、図示しない制御部は、排紙トレイ５を上下動させる駆動手段（図示しない）を制御して排紙トレイ５を下降させる。
【００１５】
トレイが下降し上面検知センサがオフすると、トレイ５の下降を停止する。この動作を繰り返し、トレイ５が規定のトレイ満杯高さまで達すると、用紙後処理装置から画像形成装置に停止信号を出し、システムの画像形成動作を停止させる。
【００１６】
用紙の整合、綴じを行う搬送経路２には、ステイプルトレイ２１と、紙面と直交する方向へ進退するドライバ、クリンチャとで分割されたステイプラ５０が配置されている。また、紙面と直交する方向に進退してステイプルトレイ２１上の用紙の整合を行うジョガーフェンス２２、２３などを有する。搬送経路２に搬送されてきた用紙は、ステイプルトレイ２１上に排出され、ジョガーフェンス２２、２３によって幅方向位置を揃えられる。
【００１７】
さらに、叩きローラ１５は、振り子運動を行って用紙上面を叩くことにより、用紙を基準フェンス２４、２５方向に搬送し、戻しローラによって用紙後端を基準フェンス２４、２５に突き当てることで用紙束の縦方向位置を揃える。このようにして揃えられた用紙束は、端綴じモード時はステイプラ５０が紙面と直交する方向に移動して用紙束の下縁部の適所をステイプルすることにより綴じられ、放出爪２７により排紙トレイ５上に排紙される。
【００１８】
ソートモード時はステイプルトレイ２１で同様に揃えられ、綴じ動作を行わずに放出爪２７により排紙トレイ５に排紙されるが、部毎にジョガーフェンス２２、２３の寄せ方向を前後で変えて揃えることで、排紙された時に排紙トレイ５上で用紙がソートされることになる。
【００１９】
また、中綴じモードでは、端綴じと同様にジョガーフェンス２２、２３、叩きローラ１５によって用紙の搬送方向、幅方向が揃えられると、基準フェンス２４、２５は用紙束整合の邪魔とならないよう待避し、用紙束は束搬送ローラ３１、３２によって所定位置まで搬送されると、ステイプラ５０によって中綴じされる。
【００２０】
さらに、束搬送ローラ３１、３２、下流の搬送ローラ６１によって、用紙束は搬送経路３方向に搬送され、用紙の中折りを行う中折りＵＮＩＴ（Ｃ）まで搬送され、紙折ブレード７１、折りローラ７２により中折され、排紙ローラ７３によって中綴じトレイ６上に排紙される。
【００２１】
図２、３は、エンドフェンス３０に設けられた補助トレイ２８および用紙押さえ４０の動作を説明する図である。図２（ａ）に示すように、エンドフェンス３０には、補助トレイ２８、用紙押さえ４０が設けられており、装置停止時に補助トレイ２８は収納状態、用紙押さえ４０は退避した状態となっている。
【００２２】
図２（ｂ）に示すように、後処理装置Ａは用紙を受け入れる前に排紙トレイ５を所定量下降させ、補助トレイ２８および用紙押さえ４０を突出状態にし、再び排紙トレイ５を図示しない上面検知センサが検知する位置まで上昇させることで、用紙を受け入れる状態とする。
【００２３】
図３（ｃ）に示すように、排紙ローラ１２により、排紙される用紙の先端部を補助トレイ２８が受けることで、用紙先端部との接触角度が緩くなり、用紙先端部が丸まってしまうことを防止できる。
【００２４】
図３（ｄ）に示すように、排紙ローラ１２を用紙後端部が抜けると、叩きローラ１５が用紙と接触する位置まで下降し、基準フェンス２４、２５方向に搬送するよう回転している叩きローラ１５により、用紙はスイッチバックする。さらに、戻しローラ４１により、用紙後端部が基準フェンス２４、２５に当接することで、用紙搬送方向の揃えが行われる。次に、ジョガーフェンス２２、２３により、用紙幅方向の揃えが行われる。揃えが完了するとステイプラ５０により、綴じ動作が行われる。
【００２５】
図４は、ステイプルトレイ２１にスタックされた用紙の放出動作を説明する図である。図４（ａ）に示すように、ステイプラ５０による綴じ動作が完了すると、放出ベルト２６に固定された放出爪２７がスタックされた用紙束の後端部を引っ掛け、排紙トレイ５方向に用紙束を押し出す。図４（ｂ）に示すように、この時、用紙束の後端部を補助トレイ２８が保持することにより、用紙束が座屈するのを防止している。
【００２６】
図４（ｃ）に示すように、放出爪２７により用紙束がステイプルトレイ２１から完全に押し出されると、排紙トレイ５は下降し、補助トレイ２８および用紙押さえ４０を収納状態とすることで、用紙束後端部を排紙トレイ５上に落下させ、放出が完了する。
【００２７】
用紙束の放出時で、用紙束後端がステイプルトレイ２１を抜けた直後に、用紙押さえ４０および補助トレイ２８を退避させることにより、用紙束放出時のぎりぎりまで排紙トレイ５上の用紙を押さえておくことができるので、用紙が乱れないないようにすることができる。
【００２８】
次のジョブがある場合は、補助トレイ２８および用紙押さえ４０を再び突出状態にし、用紙を受け入れる状態にする。また、ジョブが完了した場合は、排紙トレイ５を図示しない上面検知センサが検知する位置まで上昇させて完了となる。
【００２９】
図５は、補助トレイ２８および用紙押さえ４０の駆動について説明する図である。図５（ａ）に示すように、補助トレイ２８は回転支点２８ａを中心に、用紙押さえ４０は回転支点４０ａを中心に各々反時計回りの方向に、図示しない弾性部材により付勢されている。後から説明するカム５０２により用紙押さえ４０の位置が規制されていることで、各々収納状態で位置を保持している。
【００３０】
モータ５００が駆動することでモータギヤ５０１からギヤ部５０２ａを有するカム５０２が一定量回転することで、用紙押さえ４０の後端部に設けられた当接部４０２からカム５０２が退避することにより、用紙押さえ４０は排紙トレイ５方向に突出する。
【００３１】
図５（ｂ）に示すように、補助トレイ２８に対して用紙押さえ４０の方の弾性部材が強く設定されているので、用紙押さえ４０に押し出されることで、補助トレイ２８は同様に突出することになる。補助トレイ２８が突出した状態では、用紙押さえ４０の支持部４０３により、補助トレイ２８の位置が保持されている。用紙押さえ４０の先端部４０３は、排紙トレイ５の上面に接している。
【００３２】
用紙押さえ４０の突出時に、用紙押さえ４０が補助トレイ２８を支持する構成とすることにより、簡易な構成で本実施形態の動作が実現可能となる。
【００３３】
他に、本実施形態によれば、補助トレイ２８および用紙押さえ４０が収納状態にある場合は、補助トレイ２８がエンドフェンス３０と同一面になる。補助トレイ２８が収納された状態では、排紙トレイ５での用紙を積載するエンドフェンス３０の一部となることにより、補助トレイ２８の収納時は後端フェンスとして機能することが可能となる。
【００３４】
また、本実施形態によれば、装置停止中は用紙押さえ４０、補助トレイ２８が収納された状態となり、用紙押さえ４０の動作と干渉する部分の開口部を塞ぐようになっている。用紙押さえ４０の開口部が塞がるようになっていることにより、ユーザーが開口部で指を挟む懸念を無くすことができる。
【００３５】
また、本実施形態によれば、図示していないが用紙幅方向に、補助トレイ２８および用紙押さえ４０を複数設けることも可能であり、小サイズから大サイズまで対応することができる。用紙押さえ４０および補助トレイ２８が用紙幅方向で複数有することにより、小サイズから大サイズの用紙束まで確実に座屈を防止することができる。
【符号の説明】
【００３６】
５    排紙トレイ
２１    ステイプルトレイ
２２    ジョガーフェンス
２４    基準フェンス
２６    放出ベルト
２７    放出爪
２８    補助トレイ
２８ａ    回転支点
３０    エンドフェンス
４０    用紙押さえ
５０    ステイプラ
【先行技術文献】
【特許文献】
【００３７】
【特許文献１】特許第４４４４４００号公報
【図１】
2013124178.tif 000003
【図２】
2013124178.tif 000004
【図３】
2013124178.tif 000005
【図４】
2013124178.tif 000006
【図５】
2013124178.tif 000007